(57)【要約】【課題】特定のセルに位置する無線端末装置に対し、この特定の場所に対応した特定動作が行えること。【解決手段】無線端末装置１０３は、位置するセルＡの無線基地局１０２と情報を送受信し、特定の動作を起動させる特定動作情報の受信に基づき、セルＡに位置している期間中における特定動作の制御を実行する。基地局制御局１０１は、無線端末装置１０３が位置するセルＡの無線基地局１０２を介して無線端末装置１０３と情報を送受信し、無線端末装置１０３が予め定めた特定のセルＡに位置している期間中、無線端末装置１０３に対して特定動作を実行させる制御を行う。【選択図】図１
2008193634.tif 000002
【特許請求の範囲】
【請求項１】
位置するセルの無線基地局と情報を送受信する送受信手段と、
前記送受信手段を介して特定の動作を起動させる特定動作情報の受信に基づき、前記セルに位置している期間中における特定動作の制御を実行する制御手段と、
を備えたことを特徴とする無線端末装置。
【請求項２】
前記送受信手段は、前記セルに対する進入あるいは退出、および通信の有無に応じてメッセージを送受信し、
前記制御手段は、前記メッセージに含まれる前記特定動作情報を解読することにより、当該特定動作情報に対応した特定動作の制御を実行することを特徴とする請求項１に記載の無線端末装置。
【請求項３】
無線端末装置が位置するセルの無線基地局を介して前記無線端末装置と情報を送受信する送受信手段と、
前記送受信手段を介した情報の送受信により、前記無線端末装置が予め定めた特定のセルに位置している期間中、前記無線端末装置に対して特定動作を実行させる制御を行う制御手段と、
を備えたことを特徴とする基地局制御装置。
【請求項４】
前記送受信手段は、前記無線端末装置との間で当該無線端末装置が前記セルに対する進入あるいは退出、および通信の有無に応じてメッセージを送受信し、
前記制御手段は、前記メッセージに前記特定動作情報を含ませることにより、前記無線端末装置に対して前記特定動作情報に対応した特定動作を実行させることを特徴とする請求項３に記載の基地局制御装置。
【請求項５】
無線端末装置が有する機能を、当該無線端末装置が位置するセルに応じて動作制御する無線端末制御方法において、
前記無線端末装置が基地局制御装置との間で前記セルに対し進入あるいは退出する際に行うメッセージの送受信工程と、
前記送受信工程に置いて用いる前記メッセージに含まれる特定動作情報に基づき、あるセルに位置している期間中、無線端末装置の機能を特定動作させる特定動作工程と、
を含むことを特徴とする無線端末制御方法。
【発明の詳細な説明】
【技術分野】
【０００１】
この発明は、無線通信システムに収容される無線端末装置、基地局制御装置、および無線端末制御方法にかかり、特に、特定のセルに位置する無線端末装置が特定の動作を行うよう構成した無線端末装置、基地局制御装置、および無線端末制御方法に関する。
【背景技術】
【０００２】
無線通信システムとして、例えば、ＩＭＴ−２０００（Ｗ−ＣＤＭＡ）等の無線通信システムは、基地局制御局と無線基地局と、無線端末装置（移動機）とによって構成される。無線端末装置は、無線基地局との間の無線通信により、通信サービス（通話やデータ等の情報の送受）を行う。基地局制御局は、配下の複数の無線基地局を制御する。
【０００３】
従来の無線通信システムにおいて、基地局制御局が配下のセルに在圏（位置）する移動機に対してコネクションを設定するように設定要求を送信し、移動機は基地局制御局との間のコネクションを設定することにより、配下のセルに在圏する移動機の情報を管理する技術がある（例えば、下記特許文献１参照。）。
【０００４】
【特許文献１】特開２００５−６５２６０号公報
【発明の開示】
【発明が解決しようとする課題】
【０００５】
しかしながら、上記特許文献１に記載された技術は、セルに在圏する無線端末装置（移動機）の情報を把握して通信コネクションの設定を行う構成に限られる。このため、移動機に対して特定動作を行わせる制御等を行うことができなかった。
【０００６】
具体例を説明すると、会場、フロアなどある特定の場所（セル）において、その場所に在圏する移動機に対して特定動作を行わせることができなかった。例えば、ある特定の場所が催し物の会場の場合、この催し物の妨げにならないように、移動機のユーザは、手動操作により、移動機をマナーモードに設定する必要がある。従来、この特定動作の実施は、移動機を所有するユーザが個々に自発的に実施する必要があるため、ユーザによってはマナーモードを設定し忘れたり、あるいは意図的に設定しない、等の状態が生じる。これにより、催し物会場内にて本来、望ましくない行為（移動機の着信音が鳴る）が行われてしまう。また、催し物の会場等、特定の場所から離れた際には、ユーザが再度手動にて特定動作の解除を実施する必要があり、移動機のユーザには、解除の手間が負担となっていた。
【０００７】
上記の説明では、マナーモードを例にしたが、このほかにもコンサート会場における移動機内蔵のカメラ機能を一時的に撮影禁止（使用不可）とする場合等にも同様の問題が生じる。このように、従来は、特定の場所に在圏する移動機の機能を制限する等の特定動作がユーザの操作に任せられており確実に機能制限を行えなかった。また、特定の場所から離れた移動機に対し、制限された機能を解除することについてもユーザの操作に任されるため、機能制限の解除を忘れやすかった。
【０００８】
この発明は、上述した従来技術による問題点を解消するため、特定のセルに位置する無線端末装置に対し、この特定の場所に対応した特定動作が行える無線端末装置、基地局制御装置、および無線端末制御方法を提供することを目的とする。
【課題を解決するための手段】
【０００９】
上述した課題を解決し、目的を達成するため、この発明にかかる無線端末装置は、位置するセルの無線基地局と情報を送受信する送受信手段と、前記送受信手段を介して特定の動作を起動させる特定動作情報の受信に基づき、前記セルに位置している期間中における特定動作の制御を実行する制御手段と、を備えたことを特徴とする。
【００１０】
また、この発明にかかる基地局制御装置は、無線端末装置が位置するセルの無線基地局を介して前記無線端末装置と情報を送受信する送受信手段と、前記送受信手段を介した情報の送受信により、前記無線端末装置が予め定めた特定のセルに位置している期間中、前記無線端末装置に対して特定動作を実行させる制御を行う制御手段と、を備えたことを特徴とする。
【００１１】
上記構成によれば、無線端末装置が位置するセルが特定のセルの場合、基地局制御装置は、無線基地局を介して無線端末装置に対して、この特定のセルに位置している期間中、特定動作を実行させる制御を行う。例えば、セルの位置している期間中は、無線端末装置のマナーモードの機能を実施させる。これによりセルにおいて必要な特定動作をユーザが意識することなく、セルに位置している無線端末装置全てに対して実施できるようになる。
【発明の効果】
【００１２】
本発明によれば、特定のセルに位置する無線端末装置に対して予め定めた特定動作を実施することが出来るという効果を有する。この特定動作はセル毎に設定することができ、セルに進入してから退出するまでの期間中、該当する全ての無線端末装置に対してユーザの操作がなくとも一律に実施することができるという効果を奏する。
【発明を実施するための最良の形態】
【００１３】
以下に添付図面を参照して、この発明にかかる無線端末装置、基地局制御装置、および無線端末制御方法の好適な実施の形態を詳細に説明する。
【００１４】
（実施の形態）
図１は、本発明の実施の形態による無線通信システムの構成を示す図である。無線通信システム１００は、基地局制御局１０１と、無線基地局１０２と、無線端末装置（移動機）１０３とによって構成される。
【００１５】
図１を用いて本発明の動作概要を説明すると、無線基地局１０２は、所定範囲のエリア（セル）Ａを有して無線端末装置１０３と通信を行う。基地局制御局１０１は、特定のセルＡに位置している無線端末装置１０３に対し、この無線端末装置１０３の特定動作を実施させる。特定動作の内容は、予め設定されており、例えば、セルＡが講演会場等であり、無線端末装置１０３はマナーモードが推奨される場所であるとする。この場合、基地局制御局１０１は、図中ａに示すように、セルＡに進入し位置した無線端末装置１０３をマナーモードに設定させる。また、図中ｂに示すように、セルＡから退出した無線端末装置１０３のマナーモードを解除させる。
【００１６】
上記の制御は、基地局制御局１０１が無線端末装置１０３に対して制御指令を行うことにより実行されるものであり、無線端末装置１０３のユーザによるマナーモードの操作がなくとも自動実行される。無線端末装置１０３の特定動作は、上記のマナーモードに限らず、セル毎に必要な動作を予め設定することができる。
【００１７】
図２は、基地局制御局の内部構成を示すブロック図である。図２に示す基地局制御局１０１は、主に図１に示した無線端末装置１０３に対する特定動作の実行に関する構成部を記載してある。この基地局制御局１０１は、メッセージ送受信部２０１と、制御部２０２により構成されている。制御部２０２は、メッセージ編集・解読部２１１と、呼動作制御部２１２と、データ管理部２１３とにより構成されている。
【００１８】
メッセージ送受信部２０１は、無線基地局１０２を介して無線端末装置１０３との間でメッセージ受信およびメッセージ送信を行う。メッセージ送受信部２０１により受信されたメッセージは、メッセージ編集・解読部２１１によりメッセージが解読され、呼動作制御部２１２に出力される。呼動作制御部２１２は、無線端末装置１０３との間でやりとりするメッセージに基づき、データ管理部２１３に格納されている管理情報に基づいて呼動作（接続処理）を実行する。このデータ管理部２１３には、無線端末装置１０３から受信したメッセージを格納するエリアを備える。また、無線基地局１０２のセル毎の特定動作の情報が予めテーブル形式で設定されており、無線端末装置１０３から受信したメッセージに含まれる特定動作情報を解読することにより、この無線端末装置１０３が位置する無線基地局１０２のセルにおいて必要な特定動作の情報を出力する。
【００１９】
そして、呼動作制御部２１２は、特定のセルに位置している無線端末装置１０３に対し、特定動作を実行させるために、メッセージ編集・解読部２１１に対しメッセージの編集を行わせ、編集されたメッセージはメッセージ送受信部２０１から無線端末装置１０３に対して送信される。
【００２０】
図３は、無線端末装置の内部構成を示すブロック図である。図３に示す無線端末装置１０３は、主に図１に示した特定動作の実行に関する構成部を記載してある。この無線端末装置１０３は、メッセージ送受信部３０１と、制御部３０２と、データ管理部３０３とにより構成されている。
【００２１】
メッセージ送受信部３０１は、無線基地局１０２を介して基地局制御局１０１との間でメッセージ受信およびメッセージ送信を行う。無線端末装置１０３が特定のセルに位置すると、制御部３０２は、メッセージ送受信部３０１を介して接続要求を送信する。この返答として基地局制御局１０１は、この無線端末装置１０３に対する接続処理を行うが、特定のセルに位置している場合には、このメッセージに特定動作の情報を付加して送信する。
【００２２】
無線端末装置１０３は、メッセージ送受信部３０１によりメッセージを受信し、制御部３０２に出力される。制御部３０２は、データ管理部３０３に格納された管理情報に基づいて接続処理を実行する。そして、このデータ管理部３０３には、管理情報として、特定動作の内容について予め設定されている。そして、制御部３０２は、受信したメッセージに予め特定動作の値が設定されている場合には、値に対応してデータ管理部３０３に格納されている特定動作を実行する。また、制御部３０２は、無線端末装置１０３が特定のセルから退出した時には、それまで実行されていた特定動作を解除する。
【００２３】
図４は、本発明の無線通信システムにおいて用いるメッセージパラメータを示す図である。これらのメッセージパラメータは、基地局制御局１０１から無線端末装置１０３に対して送信される。
【００２４】
メッセージは、無線端末装置１０３の待ち受け時（位置登録時等）に基地局制御局１０１から送信される“ＲＲＣ  ＣＯＮＮＥＣＴＩＯＮ  ＳＥＴＵＰ”４０１と、無線端末装置１０３が通信中であり、個別チャネル状態のハンドオーバー（ＨＯ）時に基地局制御局１０１から送信される“ＡＣＴＩＶＥ  ＳＥＴ  ＵＰＤＡＴＥ”４０２と、無線端末装置１０３が通信中であり、共通チャネル状態のセル・アップデート時に基地局制御局１０１から送信される“ＣＥＬＬ  ＵＰＤＡＴＥ  ＣＯＮＦＩＲＭ”４０３とがある。これらは、汎用のメッセージである。
【００２５】
そして、この発明では、基地局制御局１０１は、管理している無線基地局１０２が特定動作が必要なセルの場合、上記の各メッセージに、決められた特定動作の実施を指示する特定動作セル情報４１０を付与して無線端末装置１０３に送信する。無線端末装置１０３の制御部３０２は、メッセージに含まれる特定動作セル情報４１０に基づき、テーブル参照して、セル毎に設定されている特定動作を実行する。
【００２６】
図４に示すように、特定動作セル情報４１０は、０，１，２，…の値がビット情報で付与される。例えば、値が０の場合には、非「特定動作セル」であるとして無線端末装置１０３に特定動作を行わないセルであることを示す。値が１の場合には、「特定動作セルＡ」として無線端末装置１０３にある動作Ａを行わせるセルであることを示す。値が２の場合には、「特定動作セルＢ」として無線端末装置１０３にある動作Ｂを行わせるセルであることを示す。以降、値を３，４，５，…として、必要な特定動作の種類分だけのビットで構成できる。この特定動作セル情報４１０は、ビットデータであるため、メッセージ内にて使用していない領域を使用でき、最小限のデータ量で付与することができ、通信データ量が増大しない。
【００２７】
（待ち受け時以降の特定動作について）
次に、無線端末装置１０３の各状態別における特定動作の制御を説明する。図５は、位置登録時に特定動作を行うシーケンス図である。無線端末装置１０３が未通信状態で待ち受け状態である場合を示している。無線端末装置１０３は、通信をしていないため、特定動作は、位置登録手順、あるいは発着信手順を実施する際に行われる。
【００２８】
具体的に説明すると、無線端末装置（移動機）１０３から送信されるＲＲＣ  ＣＯＮＮＥＣＴＩＯＮ  ＲＥＱＵＥＳＴは、無線基地局１０２を介して基地局制御局１０１に送信される。この際、メッセージに含まれるセルＩＤを元に、基地局制御局１０１は接続先セルを決定する。そして、接続先セル決定後に、基地局制御局１０１は、データ管理部２１３が管理している管理情報に基づき、接続先セルの「特定動作セル情報」を特定する（Ｄ５１）。そして、特定した「特定動作セル情報」の値を、ＲＲＣ  ＣＯＮＮＥＣＴＩＯＮ  ＳＥＴＵＰ４０１（図４参照）内の「特定動作セル情報」４１０に付与し（Ｄ５２）、このＲＲＣ  ＣＯＮＮＥＣＴＩＯＮ  ＳＥＴＵＰ４０１を無線端末装置１０３に送信する。
【００２９】
無線端末装置１０３は、ＲＲＣ  ＣＯＮＮＥＣＴＩＯＮ  ＳＥＴＵＰ４０１を受信すると、ＲＲＣ  ＣＯＮＮＥＣＴＩＯＮ  ＳＥＴＵＰ４０１に含まれる「特定動作セル情報」４１０の値を参照し、無線端末装置１０３内のデータ管理部３０３のテーブルを参照し、「特定動作セル情報」４１０の値に対応した特定動作を実施する（Ｄ５３）。この後、無線端末装置１０３は、ＲＲＣ  ＣＯＮＮＥＣＴＩＯＮ  ＳＥＴＵＰ  ＣＯＭＰＬＥＴＥの送信後にＳＥＲＶＩＣＥ  ＲＥＱＵＥＳＴを送信する。ＳＥＲＶＩＣＥ  ＲＥＱＵＥＳＴは、無線交換局５０１に送信される。
【００３０】
（通信中の場合の特定動作について）
無線端末装置１０３が通信中の場合、主に音声通話等の個別チャネル（ＣＨ）状態と、データ伝送等の共通チャネル（ＣＨ）状態の２つの状態がある。個別ＣＨ状態にて通信中の場合は、ハンドオーバー（ＨＯ）手順により、特定動作が実施される。共通ＣＨ状態での通信中の場合は、セル・アップデート（Ｃｅｌｌ  Ｕｐｄａｔｅ）手順により、特定動作が実施される。
【００３１】
図６は、ハンドオーバー時に特定動作を行うシーケンス図である。個別チャネル状態にて通信中の場合であるとする。無線端末装置（移動機）１０３は、ＭＥＡＳＵＲＥＭＥＮＴ  ＲＥＰＯＲＴを基地局制御局１０１に通知する。基地局制御局１０１は、このＭＥＡＳＵＲＥＭＥＮＴ  ＲＥＰＯＲＴにより遷移先の追加セルを決定する。そして、追加セル決定後に、基地局制御局１０１は、データ管理部２１３が管理している管理情報から、決定した追加セルの「特定動作セル情報」を特定する（Ｄ６１）。
【００３２】
この後、特定した「特定動作セル情報」の値をＡＣＴＩＶＥ  ＳＥＴ  ＵＰＤＡＴＥ４０２（図４参照）内の「特定動作セル情報」４１０に付与し（Ｄ６２）、ＡＣＴＩＶＥ  ＳＥＴ  ＵＰＤＡＴＥ４０２を無線端末装置１０３に送信する。
【００３３】
無線端末装置１０３は、ＡＣＴＩＶＥ  ＳＥＴ  ＵＰＤＡＴＥ４０２を受信すると、ＡＣＴＩＶＥ  ＳＥＴ  ＵＰＤＡＴＥ４０２に含まれる「特定動作セル情報」４１０の値を参照し、無線端末装置１０３内のデータ管理部３０３に記憶する。ハンドオーバー手順においては、無線端末装置がまだ追加セルの直下に進入していないことが考えられるため、特定動作を即座には実施させない。
【００３４】
その後、無線端末装置１０３の移動等により、通信セルの品質が変化する。そして、ハンドオーバー手順完了後、無線端末装置１０３にて測定している通信中Ｒａｄｉｏ  Ｌｉｎｋの品質の優劣が変化し、Ｍａｉｎ  Ｒａｄｉｏ  Ｌｉｎｋが新しいＭａｉｎ  Ｒａｄｉｏ  Ｌｉｎｋに変更される（Ｄ６３）。この状態では、新旧それぞれのセルによる通信が行われている。この変更により、無線端末装置１０３は、データ管理部３０３のテーブルから、新しいＭａｉｎ  Ｒａｄｉｏ  Ｌｉｎｋの「特定動作セル情報」４１０を参照する。参照した結果、新しいＭａｉｎ  Ｒａｄｉｏ  Ｌｉｎｋの接続セルが特定動作セルであれば、値に対応した特定動作を実施する（Ｄ６４）。これにより、新しいセル内にしっかりと進入した後に特定動作が行われる。この後、無線端末装置１０３は、新しいＭａｉｎ  Ｒａｄｉｏ  Ｌｉｎｋを含むＭＥＡＳＵＲＥＭＥＮＴ  ＲＥＰＯＲＴを送信する。
【００３５】
図７は、セル・アップデート時に特定動作を行うシーケンス図である。共通チャネル状態にて通信中の場合であるとする。セル・アップデート（Ｃｅｌｌ  Ｕｐｄａｔｅ）手順においては、基地局制御局１０１は、ＣＥＬＬ  ＵＰＤＡＴＥにて無線端末装置（移動機）１０３から通知された情報を元に遷移先の追加セルを決定する。この追加セル決定後に、基地局制御局１０１は、データ管理部２１３が管理している管理情報から、決定した追加セルの「特定動作セル情報」を特定する（Ｄ７１）。
【００３６】
この後、特定した「特定動作セル情報」の値をＣＥＬＬ  ＵＰＤＡＴＥ  ＣＯＮＦＩＲＭ４０３（図４参照）内の「特定動作セル情報」４１０に付与し（Ｄ７２）、ＣＥＬＬ  ＵＰＤＡＴＥ  ＣＯＮＦＩＲＭ４０３を無線端末装置１０３に送信する。
【００３７】
無線端末装置１０３は、ＣＥＬＬ  ＵＰＤＡＴＥ  ＣＯＮＦＩＲＭ４０３を受信すると、ＣＥＬＬ  ＵＰＤＡＴＥ  ＣＯＮＦＩＲＭ４０３に含まれる「特定動作セル情報」４１０の値を参照し、無線端末装置１０３内のデータ管理部３０３に記憶し、データ管理部３０３のテーブルから、「特定動作セル情報」４１０の値に対応した特定動作を実施する（Ｄ７３）。この後、無線端末装置１０３は、ＵＴＲＡＮ  ＭＯＢＩＬＩＴＹ  ＩＮＦＯＲＭＡＴＩＯＮ  ＣＯＮＦＩＲＭを送信する。
【００３８】
図８は、基地局制御局における特定動作の制御内容を示すフローチャートである。上述したシーケンス図のうち、基地局制御局１０１の制御内容を示してある。基地局制御局１０１は、無線端末装置１０３から送信されるメッセージを待機している。
【００３９】
１）受信したメッセージがＲＲＣ  ＣＯＮＮＥＣＴＩＯＮ  ＲＥＱＵＥＳＴの場合には（ステップＳ８０１）、制御部２０２は、メッセージ内情報を基に、接続先セルを決定する（ステップＳ８０２）。この後、データ管理部２１３が管理している情報に基づき、接続先セルの「特定動作セル情報」を特定する（ステップＳ８０３、図５のＤ５１）。次に、ＲＲＣ  ＣＯＮＮＥＣＴＩＯＮ  ＳＥＴＵＰ４０１内のパラメータ「特定動作セル情報」４１０に、ステップＳ８０３にて特定した値を付与する（ステップＳ８０４）。そして、このＲＲＣ  ＣＯＮＮＥＣＴＩＯＮ  ＳＥＴＵＰ４０１を無線端末装置１０３に送信し（ステップＳ８０５）、終了する。
【００４０】
２）受信したメッセージがＭＥＡＳＵＲＥＭＥＮＴ  ＲＥＰＯＲＴの場合には（ステップＳ８１１）、制御部２０２は、メッセージ内情報を基に、接続先セルを決定する（ステップＳ８１２）。この後、データ管理部２１３が管理している情報に基づき、接続先セルの「特定動作セル情報」を特定する（ステップＳ８１３、図６のＤ６１）。次に、ＡＣＴＩＶＥ  ＳＥＴ  ＵＰＤＡＴＥ４０２内のパラメータ「特定動作セル情報」４１０に、ステップＳ８１３にて特定した値を付与する（ステップＳ８１４）。そして、このＡＣＴＩＶＥ  ＳＥＴ  ＵＰＤＡＴＥ４０２を無線端末装置１０３に送信し（ステップＳ８１５）、終了する。
【００４１】
３）受信したメッセージがＣＥＬＬ  ＵＰＤＡＴＥの場合には（ステップＳ８２１）、制御部２０２は、メッセージ内情報を基に、接続先セルを決定する（ステップＳ８２２）。この後、データ管理部２１３が管理している情報に基づき、接続先セルの「特定動作セル情報」を特定する（ステップＳ８２３、図７のＤ７１）。次に、ＣＥＬＬ  ＵＰＤＡＴＥ  ＣＯＮＦＩＲＭ４０３内のパラメータ「特定動作セル情報」４１０に、ステップＳ８２３にて特定した値を付与する（ステップＳ８２４）。そして、このＣＥＬＬ  ＵＰＤＡＴＥ  ＣＯＮＦＩＲＭ４０３を無線端末装置１０３に送信し（ステップＳ８２５）、終了する。
【００４２】
図９は、無線端末装置における特定動作の制御内容を示すフローチャートである。上述したシーケンス図のうち、無線端末装置１０３の制御内容を示してある。無線端末装置１０３は、待ち受け中あるいは通信中の状態であるとする。
【００４３】
１）待ち受け中の場合には、無線端末装置１０３の発信あるいは着信により、制御部３０２は、ＲＲＣ  ＣＯＮＮＥＣＴＩＯＮ  ＲＥＱＵＥＳＴの送信トリガを発生させ（ステップＳ９０１）、ＲＲＣ  ＣＯＮＮＥＣＴＩＯＮ  ＲＥＱＵＥＳＴを送信する（ステップＳ９０２）。この後、ＲＲＣ  ＣＯＮＮＥＣＴＩＯＮ  ＳＥＴＵＰ４０１を受信する（ステップＳ９０３）。そして、ＲＲＣ  ＣＯＮＮＥＣＴＩＯＮ  ＳＥＴＵＰ４０１内のパラメータ「特定動作セル情報」４１０を参照し、データ管理部３０３のテーブルに記憶し、「特定動作セル情報」４１０の値に対応した特定動作を実施する（ステップＳ９０４、図５のＤ５３）。
【００４４】
２）個別チャネル通信中の場合には、無線端末装置１０３の移動により、制御部３０２は、ＭＥＡＳＵＲＥＭＥＮＴ  ＲＥＰＯＲＴの送信トリガを発生させ（ステップＳ９１１）、ＭＥＡＳＵＲＥＭＥＮＴ  ＲＥＰＯＲＴを送信する（ステップＳ９１２）。この後、ＡＣＴＩＶＥ  ＳＥＴ  ＵＰＤＡＴＥ４０２を受信する（ステップＳ９１３）。そして、ＡＣＴＩＶＥ  ＳＥＴ  ＵＰＤＡＴＥ４０２内のパラメータ「特定動作セル情報」４１０を参照し、データ管理部３０３のテーブルに記憶する（ステップＳ９１４）。
【００４５】
通信中は、移動に伴ってＲａｄｉｏ  Ｌｉｎｋの品質の優劣が変化し（ステップＳ９１５）、対応してＭａｉｎ  Ｒａｄｉｏ  Ｌｉｎｋの変更が生じる（ステップＳ９１６）。Ｍａｉｎ  Ｒａｄｉｏ  Ｌｉｎｋの変更がない状態から（ステップＳ９１６：Ｎｏのループ）、Ｍａｉｎ  Ｒａｄｉｏ  Ｌｉｎｋが新しいＭａｉｎ  Ｒａｄｉｏ  Ｌｉｎｋに変更されることになる（ステップＳ９１６：Ｙｅｓ）。これにより、データ管理部３０３のテーブルから、新しいＭａｉｎ  Ｒａｄｉｏ  Ｌｉｎｋの「特定動作セル情報」４１０を参照し、値に対応した特定動作を実施する（ステップＳ９１７、図６のＤ６４）。
【００４６】
３）共通チャネル通信中の場合には、無線端末装置１０３の移動により、制御部３０２は、ＣＥＬＬ  ＵＰＤＡＴＥの送信トリガを発生させ（ステップＳ９２１）、ＣＥＬＬ  ＵＰＤＡＴＥを送信する（ステップＳ９２２）。この後、ＣＥＬＬ  ＵＰＤＡＴＥ  ＣＯＮＦＩＲＭ４０３を受信する（ステップＳ９２３）。そして、ＣＥＬＬ  ＵＰＤＡＴＥ  ＣＯＮＦＩＲＭ４０３内のパラメータ「特定動作セル情報」４１０を参照し、データ管理部３０３のテーブルに記憶し、「特定動作セル情報」４１０の値に対応した特定動作を実施する（ステップＳ９２４、図７のＤ７３）。
【００４７】
図１０は、無線端末装置における特定動作の実施内容を示すフローチャートである。無線端末装置１０３は、メッセージのパラメータ「特定動作セル情報」４１０（図４参照）の値（０，１，２，…）に対応した各処理が実施される。
【００４８】
無線端末装置１０３が位置している無線基地局１０２のセルが特定動作セルであり、特定動作セル情報４１０の値が特定動作セルＡである場合には、データ管理部３０３は、管理情報のテーブルからこの特定動作内容として設定されている「マナーモード起動」を実行させて（ステップＳ１００１）、処理を終了する。これにより、無線端末装置１０３は、特定のセルに位置すると、ユーザが操作せずとも自動的にマナーモードに設定され、講演会場等でのマナーを遵守、等が行えるようになる。
【００４９】
また、特定動作セル情報４１０の値が特定動作セルＢである場合には、データ管理部３０３は、管理情報のテーブルからこの特定動作内容として設定されている「カメラ機能起動不可設定」を実行させて（ステップＳ１００２）、処理を終了する。これにより、無線端末装置１０３は、特定のセルに位置すると、ユーザの操作なしに自動的にカメラ機能が起動不可となり、写真撮影が禁止でき、コンサート会場でのアーティスト著作権の保護、等が行えるようになる。
【００５０】
また、特定動作セル情報４１０の値が特定動作セルＣである場合には、データ管理部３０３は、管理情報のテーブルからこの特定動作内容として設定されている「電源ＯＦＦ」を実行させて（ステップＳ１００３）、処理を終了する。これにより、無線端末装置１０３は、特定のセルに位置すると、ユーザの操作なしに自動的に電源が切られ、病院での不要電波の発信防止による医療機器の誤動作防止、等が行えるようになる。このほかにも、無線基地局１０２のセル単位でこのセルのエリアにおける無線端末装置１０３を各種内容で特定動作できるようになる。
【００５１】
また、特定動作セル情報４１０の値が「非特定動作セル」（特定動作を実施することが指定されていない）場合には、データ管理部３０３は、既に特定動作が実施中であるか否かを判定する（ステップＳ１０１１）。この判定の結果、特定動作の実施中でなければ（ステップＳ１０１１：Ｎｏ）、そのまま何もせず処理を終了する。もし、特定動作の実施中であれば（ステップＳ１０１１：Ｙｅｓ）、実施中の特定動作を解除するとともに（ステップＳ１０１２）、管理情報のテーブルの「特定動作セル情報」に、「非特定動作セル」を設定（更新）し（ステップＳ１０１３）、処理を終了する。なお、無線端末装置１０３が特定動作を実施するセルから退出し、新たなセルが非特定動作セルの場合には、それまで実施されていた特定動作が解除される。
【００５２】
図１１は、無線端末装置の通信状態および特定動作セルに対する位置状態の各動作状態を示す図である。各状態別に説明する。
【００５３】
（待ち受け状態の時）
無線端末装置１０３が待ち受け状態で、特定動作セルへの進入時には、特定動作セル内での位置登録手順が実施され、特定動作実施要と判断され、無線端末装置１０３は特定動作を実施する。一方、特定動作セルからの退出時には、退出後に、特定動作セル以外での位置登録手順が実施され、特定動作実施不要と判断され、特定動作を解除する。
【００５４】
（通信中−個別チャネル状態の時）
無線端末装置１０３が個別チャネルで通信中で、特定動作セルへの進入時には、ハンドオーバー手順にて、特定動作セルとの通信が確立される。その後、無線端末装置１０３の移動等により、通信セルの品質が変化し、無線通信端末１０３において特定動作セルがＭａｉｎ  Ｒａｄｉｏ  Ｌｉｎｋと判断され、特定動作を実施する。一方、特定動作セルからの退出時には、ハンドオーバー手順にて、特定動作セルとの通信が切断された場合、あるいは無線端末装置１０３の移動等により、通信セルの品質が変化し、無線端末装置１０３において、特定動作セル以外がＭａｉｎ  Ｒａｄｉｏ  Ｌｉｎｋと判断され（特定動作セルから退出するため、その他のセルの方が品質がよくなる）、特定動作を解除する。
【００５５】
（通信中−共通チャネル状態の時）
無線端末装置１０３が共通チャネルで通信中で、特定動作セルへの進入時には、セル・アップデート手順にて、特定動作セルとの通信が確立され、特定動作実施要と判断され、特定動作を実施する。一方、特定動作セルからの退出時には、セル・アップデート手順にて、特定動作セル以外との通信が確立され、特定動作実施不要と判断され、特定動作を解除する。
【００５６】
上記実施の形態における説明では、いずれも無線端末装置１０３が有する機能を停止させる構成としたが、セルによってはある機能を積極的に動作させる構成にすることもできる。例えば、ある特定のエリアの講演会場の休憩時間には、無線端末装置１０３のマナーモード機能やカメラ機能を時間単位で動作（停止の場合は停止解除）させて、通常の機能を使用可能にすることにより、ユーザが意識することなく特定動作を制御できるようになる。
【００５７】
以上説明したように、本発明によれば、ある特定のエリア（会場、フロアなどをカバーするセル）内に在圏する全ユーザが無線端末装置１０３に対してある共通の動作（マナーモード機能の実行、カメラ機能の一時的な使用不能等）の実施を要望する環境下において、ユーザが意識することなく、また、エリアに位置している全てのユーザに対して定められた特定の動作の設定・解除が可能となる。
【００５８】
これにより、特定エリア内で実施される催事の主催者にとっては、特定エリア内において希望とする無線端末装置１０３の動作（着信音がならないようにする、カメラでの撮影を一時的に不可能にする等）を一律で実施可能になり、また、無線端末装置１０３を所有するユーザにとっては、指定された特定動作を意識的に実施する必要がなくなる。
【００５９】
（付記１）位置するセルの無線基地局と情報を送受信する送受信手段と、
前記送受信手段を介して特定の動作を起動させる特定動作情報の受信に基づき、前記セルに位置している期間中における特定動作の制御を実行する制御手段と、
を備えたことを特徴とする無線端末装置。
【００６０】
（付記２）前記送受信手段は、前記セルに対する進入あるいは退出、および通信の有無に応じてメッセージを送受信し、
前記制御手段は、前記メッセージに含まれる前記特定動作情報を解読することにより、当該特定動作情報に対応した特定動作の制御を実行することを特徴とする付記１に記載の無線端末装置。
【００６１】
（付記３）前記特定動作情報は、無線基地局と送受信するメッセージの一部領域を用いたビットデータであり、
前記制御手段は、前記ビットデータが示す値に対応して設定されている特定動作を実行することを特徴とする付記２に記載の無線端末装置。
【００６２】
（付記４）前記制御手段は、前記特定動作として、前記特定動作情報に対応する所定の機能を停止させることを特徴とする付記１〜３のいずれか一つに記載の無線端末装置。
【００６３】
（付記５）無線端末装置が位置するセルの無線基地局を介して前記無線端末装置と情報を送受信する送受信手段と、
前記送受信手段を介した情報の送受信により、前記無線端末装置が予め定めた特定のセルに位置している期間中、前記無線端末装置に対して特定動作を実行させる制御を行う制御手段と、
を備えたことを特徴とする基地局制御装置。
【００６４】
（付記６）前記送受信手段は、前記無線端末装置との間で当該無線端末装置が前記セルに対する進入あるいは退出、および通信の有無に応じてメッセージを送受信し、
前記制御手段は、前記メッセージに前記特定動作情報を含ませることにより、前記無線端末装置に対して前記特定動作情報に対応した特定動作を実行させることを特徴とする付記５に記載の基地局制御装置。
【００６５】
（付記７）前記特定動作情報は、無線基地局と送受信するメッセージの一部領域を用いたビットデータであり、
前記制御手段は、前記特定動作に対応するビットデータの値を設定することを特徴とする付記６に記載の基地局制御装置。
【００６６】
（付記８）前記制御手段は、前記特定動作として、前記無線端末装置の所定の機能を停止させることを特徴とする付記５〜７のいずれか一つに記載の基地局制御装置。
【００６７】
（付記９）無線端末装置が有する機能を、当該無線端末装置が位置するセルに応じて動作制御する無線端末制御方法において、
前記無線端末装置が基地局制御装置との間で前記セルに対し進入あるいは退出する際に行うメッセージの送受信工程と、
前記送受信工程に置いて用いる前記メッセージに含まれる特定動作情報に基づき、あるセルに位置している期間中、無線端末装置の機能を特定動作させる特定動作工程と、
を含むことを特徴とする無線端末制御方法。
【産業上の利用可能性】
【００６８】
以上のように、本発明にかかる無線端末装置、基地局制御装置、および無線端末制御方法は、移動する無線端末装置が移動する無線通信システムに有用であり、特に、携帯電話機等の可搬型の無線端末装置を収容した無線通信システムに適している。
【図面の簡単な説明】
【００６９】
【図１】本発明の実施の形態による無線通信システムの構成を示す図である。
【図２】基地局制御局の内部構成を示すブロック図である。
【図３】無線端末装置の内部構成を示すブロック図である。
【図４】本発明の無線通信システムにおいて用いるメッセージパラメータを示す図である。
【図５】位置登録時に特定動作を行うシーケンス図である。
【図６】ハンドオーバー時に特定動作を行うシーケンス図である。
【図７】セル・アップデート時に特定動作を行うシーケンス図である。
【図８】基地局制御局における特定動作の制御内容を示すフローチャートである。
【図９】無線端末装置における特定動作の制御内容を示すフローチャートである。
【図１０】無線端末装置における特定動作の実施内容を示すフローチャートである。
【図１１】無線端末装置の通信状態および特定動作セルに対する位置状態の各動作状態を示す図である。
【符号の説明】
【００７０】
１００  無線通信システム
１０１  基地局制御局
１０２  無線基地局
１０３  無線端末装置（移動機）
２０１  メッセージ送受信部
２０２  制御部
２１１  メッセージ編集・解読部
２１２  呼動作制御部
２１３  データ管理部
３０１  メッセージ送受信部
３０２  制御部
３０３  データ管理部
４１０  特定動作セル情報
Ａ  セル
【図１】
2008193634.tif 000003
【図２】
2008193634.tif 000004
【図３】
2008193634.tif 000005
【図４】
2008193634.tif 000006
【図５】
2008193634.tif 000007
【図６】
2008193634.tif 000008
【図７】
2008193634.tif 000009
【図８】
2008193634.tif 000010
【図９】
2008193634.tif 000011
【図１０】
2008193634.tif 000012
【図１１】
2008193634.tif 000013